(57)【要約】【課題】  膜状の測定対象物の膜厚の時間変化を精度良く測定することが可能な膜厚測定装置、及び膜厚測定方法を提供する。【解決手段】  第１波長λ１の測定光成分、及び第２波長λ２の測定光成分を含む測定光を測定対象物１５へと供給する測定光源２８と、測定対象物１５の上面からの反射光及び下面からの反射光の干渉光について、第１波長λ１の干渉光成分、及び第２波長λ２の干渉光成分に分解する分光光学系３０と、第１、第２干渉光成分のそれぞれの各時点での強度を検出する光検出器３１、３２と、膜厚解析部４０とを有して膜厚測定装置１Ａを構成する。膜厚解析部４０は、第１干渉光成分の検出強度の時間変化での第１位相と、第２干渉光成分の検出強度の時間変化での第２位相との位相差に基づいて、測定対象物１５の膜厚の時間変化を求める。【選択図】  図３
2010230515.tif 000002
【特許請求の範囲】
【請求項１】
第１面及び第２面を有する膜状の測定対象物の膜厚の時間変化を測定する膜厚測定装置であって、
第１波長を有する第１測定光成分、及び前記第１波長とは異なる第２波長を有する第２測定光成分を少なくとも含む測定光を前記測定対象物へと供給する測定光源と、
前記測定光の前記測定対象物の前記第１面からの反射光、及び前記第２面からの反射光が干渉した干渉光について、前記第１波長の第１干渉光成分、及び前記第２波長の第２干渉光成分に分解する分光手段と、
前記第１干渉光成分、及び前記第２干渉光成分のそれぞれの各時点での強度を検出する検出手段と、
前記第１干渉光成分の検出強度の時間変化における第１位相と、前記第２干渉光成分の検出強度の時間変化における第２位相との位相差に基づいて、前記測定対象物の膜厚の時間変化を求める膜厚解析手段と
を備えることを特徴とする膜厚測定装置。
【請求項２】
前記測定対象物は基板上の半導体膜であり、所定の処理の実行中における前記半導体膜の膜厚の時間変化を測定することを特徴とする請求項１記載の膜厚測定装置。
【請求項３】
前記測定光源は、前記測定光の成分として互いに波長が異なる３成分以上の測定光成分を供給可能に構成され、前記分光手段及び前記検出手段は、膜厚の時間変化の測定に用いられる前記第１波長及び前記第２波長を変更可能に構成されていることを特徴とする請求項１または２記載の膜厚測定装置。
【請求項４】
前記測定対象物について膜厚が減少する時間変化を測定する場合に、２波長の波長間隔を段階的に広げるように前記第１波長及び前記第２波長を変更することを特徴とする請求項３記載の膜厚測定装置。
【請求項５】
前記測定光源は、前記第１波長及び前記第２波長を含む波長域の白色光を前記測定光として供給する白色光源であることを特徴とする請求項１〜４のいずれか一項記載の膜厚測定装置。
【請求項６】
前記分光手段は、前記干渉光を各波長の干渉光成分へと分解する分光光学系を有し、
前記検出手段は、前記分光光学系によって分解された各干渉光成分の強度を検出する複数の光検出素子が配列されたマルチチャンネル光検出器を有することを特徴とする請求項１〜５のいずれか一項記載の膜厚測定装置。
【請求項７】
第１面及び第２面を有する膜状の測定対象物の膜厚の時間変化を測定する膜厚測定方法であって、
第１波長を有する第１測定光成分、及び前記第１波長とは異なる第２波長を有する第２測定光成分を少なくとも含む測定光を測定光源から前記測定対象物へと供給する測定光供給ステップと、
前記測定光の前記測定対象物の前記第１面からの反射光、及び前記第２面からの反射光が干渉した干渉光について、前記第１波長の第１干渉光成分、及び前記第２波長の第２干渉光成分に分解する分光ステップと、
前記第１干渉光成分、及び前記第２干渉光成分のそれぞれの各時点での強度を検出する検出ステップと、
前記第１干渉光成分の検出強度の時間変化における第１位相と、前記第２干渉光成分の検出強度の時間変化における第２位相との位相差に基づいて、前記測定対象物の膜厚の時間変化を求める膜厚解析ステップと
を備えることを特徴とする膜厚測定方法。
【請求項８】
前記測定対象物は基板上の半導体膜であり、所定の処理の実行中における前記半導体膜の膜厚の時間変化を測定することを特徴とする請求項７記載の膜厚測定方法。
【請求項９】
前記測定光源は、前記測定光の成分として互いに波長が異なる３成分以上の測定光成分を供給可能に構成され、前記分光ステップ及び前記検出ステップにおいて、膜厚の時間変化の測定に用いられる前記第１波長及び前記第２波長を変更することを特徴とする請求項７または８記載の膜厚測定方法。
【請求項１０】
前記測定対象物について膜厚が減少する時間変化を測定する場合に、２波長の波長間隔を段階的に広げるように前記第１波長及び前記第２波長を変更することを特徴とする請求項９記載の膜厚測定方法。
【発明の詳細な説明】
【技術分野】
【０００１】
本発明は、基板上に形成された半導体膜などの膜状の測定対象物の膜厚の時間変化を測定する膜厚測定装置、及び膜厚測定方法に関するものである。
【背景技術】
【０００２】
半導体製造プロセスにおいて、例えば、エッチング処理の実行中では、基板上の半導体膜の膜厚が減少するように時間変化する。また、薄膜形成処理の実行中では、半導体膜の膜厚が増加するように時間変化する。このような半導体プロセスでは、処理の終点検出などのプロセス制御のために、半導体膜の膜厚の時間変化のイン・サイチュ（In-Situ）での測定が必要となる。
【０００３】
そのような半導体膜の膜厚の測定方法として、半導体膜に所定波長の測定光を照射し、半導体膜の上面からの反射光、及び下面からの反射光が干渉した干渉光を検出する方法が用いられている。この方法では、半導体膜の膜厚が変化すると、上面からの反射光と下面からの反射光との間の光路長差が変化する。したがって、この光路長差の変化に伴う干渉光の検出強度（干渉強度）の時間変化を利用して、各時点での半導体膜の膜厚を測定することができる（例えば、特許文献１〜４参照）。
【先行技術文献】
【特許文献】
【０００４】
【特許文献１】特許第２６１２０８９号公報
【特許文献２】特許第２６５６８６９号公報
【特許文献３】特許第３４９１３３７号公報
【特許文献４】特開昭６３−５０７０３号公報
【発明の概要】
【発明が解決しようとする課題】
【０００５】
上記した半導体膜の膜厚の時間変化の測定において、半導体製造プロセスの制御精度の向上等のため、さらなる膜厚の測定精度の向上、特に膜厚の絶対値の測定精度の向上が求められている。しかしながら、従来の測定方法では、充分な膜厚の測定精度が得られない場合がある。
【０００６】
例えば、特許文献１に記載された方法では、上記したように上面からの反射光と下面からの反射光との干渉光を検出し、その検出された干渉強度の時間変化から膜厚を算出している。しかしながら、この方法は干渉強度の周期的変化が正確に検出されることを前提としており、例えば光強度の周期的変化が最初に最大となる時点がはっきりしない場合、基準時の膜厚の値が不正確となり、膜厚の絶対値について、その時間変化を正確に測定することが難しいという問題がある。
【０００７】
また、特許文献２では、半導体膜からの反射光のうちで２波長での光強度の時間微分の絶対値を加算した信号を用いて、エッチングの終点検出を行う方法が開示されている。また、特許文献３では、波長可変レーザからの光ビームを照射して半導体膜からの反射光または透過光を検出するとともに、波長を変化させて得られた波長に対する光強度変化の波形から膜厚を求める方法が開示されている。また、特許文献４では、半導体膜からの反射光または透過光を分光して検出し、各波長についての出力のうち極大値と極小値とを用いて膜厚を求める方法が開示されている。しかしながら、これらの方法においても、膜厚の絶対値の時間変化を正確に測定することは難しい。このような問題は、半導体膜以外の膜状の測定対象物の膜厚の時間変化の測定においても、同様に生じるものである。
【０００８】
本発明は、以上の問題点を解決するためになされたものであり、膜状の測定対象物の膜厚の時間変化を精度良く測定することが可能な膜厚測定装置、及び膜厚測定方法を提供することを目的とする。
【課題を解決するための手段】
【０００９】
このような目的を達成するために、本発明による膜厚測定装置は、第１面及び第２面を有する膜状の測定対象物の膜厚の時間変化を測定する膜厚測定装置であって、（１）第１波長を有する第１測定光成分、及び第１波長とは異なる第２波長を有する第２測定光成分を少なくとも含む測定光を測定対象物へと供給する測定光源と、（２）測定光の測定対象物の第１面からの反射光、及び第２面からの反射光が干渉した干渉光について、第１波長の第１干渉光成分、及び第２波長の第２干渉光成分を別々に検出可能に分解する分光手段と、（３）第１干渉光成分、及び第２干渉光成分のそれぞれの各時点での強度を検出する検出手段と、（４）第１干渉光成分の検出強度の時間変化における第１位相と、第２干渉光成分の検出強度の時間変化における第２位相との位相差に基づいて、測定対象物の膜厚の時間変化を求める膜厚解析手段とを備えることを特徴とする。
【００１０】
同様に、本発明による膜厚測定方法は、第１面及び第２面を有する膜状の測定対象物の膜厚の時間変化を測定する膜厚測定方法であって、（１）第１波長を有する第１測定光成分、及び第１波長とは異なる第２波長を有する第２測定光成分を少なくとも含む測定光を測定光源から測定対象物へと供給する測定光供給ステップと、（２）測定光の測定対象物の第１面からの反射光、及び第２面からの反射光が干渉した干渉光について、第１波長の第１干渉光成分、及び第２波長の第２干渉光成分を別々に検出可能に分解する分光ステップと、（３）第１干渉光成分、及び第２干渉光成分のそれぞれの各時点での強度を検出する検出ステップと、（４）第１干渉光成分の検出強度の時間変化における第１位相と、第２干渉光成分の検出強度の時間変化における第２位相との位相差に基づいて、測定対象物の膜厚の時間変化を求める膜厚解析ステップとを備えることを特徴とする。
【００１１】
上記した膜厚測定装置及び測定方法においては、膜状の測定対象物に対し、第１波長及び第２波長の光成分を含む測定光を供給し、その第１面及び第２面（上面及び下面）からの反射光の干渉光を検出する。そして、第１波長の第１干渉光成分の検出強度の時間変化における位相と、第２波長の第２干渉光成分の検出強度の時間変化における位相との間の位相差を取得し、この位相差から測定対象物の膜厚の時間変化を求めている。このような構成によれば、２波長間での検出強度の時間波形の位相差により、膜状の測定対象物の膜厚の絶対値、及びその時間変化を精度良く測定することが可能となる。
【００１２】
ここで、上記した膜厚の時間変化の測定における具体的な測定対象については、測定対象物は基板上の半導体膜であり、所定の処理の実行中における半導体膜の膜厚の時間変化を測定することが好ましい。このような構成では、上述したように、例えばエッチング処理や薄膜形成処理などの半導体プロセスの実行中において、その膜厚の絶対値の時間変化を測定して、処理の終点検出などのプロセス制御を精度良く行うことができる。
【００１３】
また、測定装置は、測定光源が、測定光の成分として互いに波長が異なる３成分以上の測定光成分を供給可能に構成され、分光手段及び検出手段は、膜厚の時間変化の測定に用いられる第１波長及び第２波長を変更可能に構成されていることとしても良い。同様に、測定方法は、測定光源が、測定光の成分として互いに波長が異なる３成分以上の測定光成分を供給可能に構成され、分光ステップ及び検出ステップにおいて、膜厚の時間変化の測定に用いられる第１波長及び第２波長を変更することとしても良い。これにより、膜厚の時間変化の状態に応じて、その測定条件を好適に設定、変更することができる。
【００１４】
また、上記のように第１波長及び第２波長を変更する構成では、測定対象物について膜厚が減少する時間変化を測定する場合に、２波長の波長間隔を段階的に広げるように第１波長及び第２波長を変更することが好ましい。このような測定の例としては、エッチング処理の実行中における基板上の半導体膜の膜厚の時間変化の測定が挙げられる。
【００１５】
測定装置の具体的な構成については、測定光源は、第１波長及び第２波長を含む波長域の白色光を測定光として供給する白色光源である構成を用いることができる。また、分光手段は、干渉光を各波長の干渉光成分へと分解する分光光学系を有し、検出手段は、分光光学系によって分解された各干渉光成分の強度を検出する複数の光検出素子が配列されたマルチチャンネル光検出器を有する構成を用いることができる。また、測定光源、分光手段、及び検出手段については、上記以外にも様々な構成を用いることが可能である。
【発明の効果】
【００１６】
本発明の膜厚測定装置及び膜厚測定方法によれば、測定対象物に対し、第１波長及び第２波長の光成分を含む測定光を供給して、その第１面及び第２面からの反射光の干渉光を検出し、第１波長の第１干渉光成分の検出強度の時間変化における位相と、第２波長の第２干渉光成分の検出強度の時間変化における位相との間の位相差を取得し、この位相差から測定対象物の膜厚の時間変化を求めることにより、膜状の測定対象物の膜厚の絶対値、及びその時間変化を精度良く測定することが可能となる。
【図面の簡単な説明】
【００１７】
【図１】測定対象物の膜厚の測定方法について模式的に示す図である。
【図２】測定対象物の膜厚の時間変化の測定原理を概略的に示すグラフである。
【図３】膜厚測定装置の一実施形態の構成を示すブロック図である。
【図４】測定光学系の構成の一例を示す図である。
【図５】測定光学系の構成の一例を示す図である。
【図６】分光光学系の構成の一例を示す図である。
【図７】膜厚解析部の構成の一例を示すブロック図である。
【図８】測定位置設定部の構成の一例を示すブロック図である。
【図９】膜厚測定の第１の測定例について示すグラフである。
【図１０】膜厚測定の第２の測定例について示すグラフである。
【図１１】膜厚測定の第３の測定例について示すグラフである。
【図１２】波長切換えを伴う膜厚測定方法の一例について示すグラフである。
【図１３】膜厚測定のための解析処理の具体例について説明するグラフである。
【図１４】膜厚測定のための解析処理の具体例について説明するグラフである。
【図１５】膜厚測定のための解析処理の具体例について説明するグラフである。
【図１６】膜厚測定のための解析処理の具体例について説明するグラフである。
【図１７】膜厚測定のための解析処理の具体例について説明するグラフである。
【図１８】膜厚測定のための解析処理の具体例について説明するグラフである。
【発明を実施するための形態】
【００１８】
以下、図面とともに本発明による膜厚測定装置、及び膜厚測定方法の好適な実施形態について詳細に説明する。なお、図面の説明においては同一要素には同一符号を付し、重複する説明を省略する。また、図面の寸法比率は、説明のものと必ずしも一致していない。
【００１９】
最初に、本発明による膜厚測定方法、及びその測定原理について、図１、及び図２を用いて説明する。図１は、測定対象物の膜厚の測定方法について模式的に示す図である。また、図２は、測定対象物の膜厚の時間変化の測定原理を概略的に示すグラフである。本膜厚測定方法は、第１面及び第２面を有する膜状の測定対象物に対し、その膜厚の絶対値の時間変化を測定するものである。ここで、以下においては、測定対象物の第１面を測定光が入射される上面とし、第２面をその反対側の下面として説明する。
【００２０】
図１に示す例では、膜状の測定対象物の一例として、基板１２上に形成された半導体膜１５を示している。このような半導体膜１５に対し、膜厚が時間とともに変化する半導体製造プロセスの一例として、エッチング処理を実行することを考える。エッチング処理では、処理の進行にしたがって半導体膜１５の膜厚ｄは時間とともに減少する。
【００２１】
このような膜厚ｄの時間変化について、基板１２及び半導体膜１５からなる試料１０に対し、基板１２とは反対側となる半導体膜１５の上面（第１面）１６側から膜厚測定用の測定光Ｌ０を供給する。そして、その上面１６からの反射光Ｌ１と、下面（第２面、基板１２と半導体膜１５との境界面）１７からの反射光Ｌ２とが干渉して生成される干渉光を検出することで、半導体膜１５の膜厚ｄを測定する。なお、図１においては、図の見易さのため、半導体膜１５に照射される測定光Ｌ０の光路、及び半導体膜１５の上面１６、下面１７からの反射光Ｌ１、Ｌ２の光路を、それぞれ位置をずらして示している。
【００２２】
本測定方法では、具体的には、半導体膜１５を含む試料１０に対し、第１波長λ１の第１測定光成分、及び第１波長とは異なる第２波長λ２の第２測定光成分を少なくとも含む測定光Ｌ０を照射する（測定光供給ステップ）。次に、測定光Ｌ０の上面１６、下面１７からの反射光Ｌ１、Ｌ２の干渉光を波長によって分解して、波長λ１の第１干渉光成分と波長λ２の第２干渉光成分とを別々に検出可能な状態とし（分光ステップ）、第１、第２干渉光成分のそれぞれの各時点での強度を検出して、干渉強度の時間による変化を取得する（検出ステップ）。そして、これらの第１、第２干渉光成分の検出強度の時間変化を参照して、半導体膜１５の膜厚ｄの時間変化を求める（膜厚解析ステップ）。
【００２３】
ここで、測定対象の半導体膜１５の屈折率をｎ、時間変化する膜厚をｄ、測定光Ｌ０の波長をλとすると、反射光Ｌ１、Ｌ２が干渉して生じる干渉光の強度Ｉ（ｔ）は、反射光Ｌ１、Ｌ２の間で生じる光路長差２ｎｄにより、下記の式（１）
【数１】
2010230515.tif 000003
による時間変化を示す。すなわち、波長λの測定光Ｌ０を用いた場合、得られる反射光の干渉強度Ｉ（ｔ）は、エッチング処理等による膜厚ｄの時間変化に伴って余弦波的に変化する。ここで、Ａは干渉強度の変動の振幅、Ｂはオフセットである。
【００２４】
このような干渉光の強度Ｉ（ｔ）の時間変化の一例を図２に示す。図２のグラフ（ａ）は、第１波長λ１の第１干渉光成分の検出強度Ｉ（ｔ）の時間変化を示している。この干渉強度Ｉの各時点での位相φ１は、その時点での膜厚をｄとして
【数２】
2010230515.tif 000004
となる。ここで、ｎ１は波長λ１での半導体膜１５の屈折率である。この時間変化において、その１周期Δｔ１は、膜厚ｄがΔｄ＝λ１／２ｎ１だけ変化する時間に相当する。
【００２５】
同様に、図２のグラフ（ｂ）は、第２波長λ２の第２干渉光成分の検出強度Ｉ（ｔ）の時間変化を示している。この干渉強度Ｉの各時点での位相φ２は、同様に
【数３】
2010230515.tif 000005
となる。ここで、ｎ２は波長λ２での半導体膜１５の屈折率である。この時間変化において、その１周期Δｔ２は、膜厚ｄがΔｄ＝λ２／２ｎ２だけ変化する時間に相当する。
【００２６】
上記の式（２）、（３）、及び図２のグラフ（ａ）、（ｂ）に示すように、波長λ１、λ２の光成分を含む測定光Ｌ０の供給に対する半導体膜１５からの反射干渉光において、第１、第２干渉光成分の検出強度の時間変化での位相φ１、φ２、及びその周期Δｔ１、Δｔ２は、その波長λ１、λ２が異なることにより、膜厚ｄの変化に対して異なる位相、及び周期となる。なお、これらの干渉強度の時間変化の位相φ１、φ２は、例えば、干渉強度Ｉの所定範囲（好ましくは２周期以上の範囲）のデータに対して、ＦＦＴ（高速フーリエ変換）解析を行うことで求めることができる。
【００２７】
また、波長λ１、λ２の第１、第２干渉光成分のそれぞれでの位相φ１、φ２について、２波長間での位相差を求めると、その位相差Δφ１２は、下記の式（４）
【数４】
2010230515.tif 000006
となる。すなわち、第１位相φ１と第２位相φ２との位相差Δφ１２は、測定対象物の膜厚ｄに比例して変化する。したがって、図２のグラフ（ｃ）に示すように、第１、第２干渉光成分の検出強度の時間変化に伴う位相差Δφ１２の変化により、半導体層１５の膜厚ｄの絶対値、及びその時間変化を精度良く求めることが可能である。
【００２８】
また、このような膜厚ｄの絶対値の時間変化の測定により、例えば半導体膜１５のエッチング処理において、その終点検出、及びそれに基づくプロセス制御を高精度で実行することが可能である。具体的には、エッチング処理において目標とする半導体膜１５の最終膜厚がＤに設定されているとすると、この目標膜厚Ｄと、それに対応する目標位相差ΔΦとの関係は、下記の式（５．１）、（５．２）
【数５】
2010230515.tif 000007
によって表される。したがって、このような関係を利用し、例えば測定された位相差Δφから半導体膜１５の膜厚ｄが所望の膜厚Ｄまで減少したと判断された時点をエッチング処理の終点とするなどの方法によって、図２のグラフ（ｃ）に示すように、エッチング処理の終点検出を行うことができる。このようなプロセス制御は、例えば半導体膜１５の膜厚ｄが時間とともに増加する薄膜形成処理の制御等においても同様に実行可能である。
【００２９】
ここで、図２のグラフ（ｃ）から理解されるように、上記方法によって膜厚ｄの絶対値を測定することが可能となるのは、位相差Δφ１２が０〜２πの範囲内で変化している間（グラフ（ｃ）中の区間Δｔ１２）である。このため、上記方法において絶対値の測定が可能な膜厚の最大値ｄｍａｘは、下記の式（６）
【数６】
2010230515.tif 000008
となる。
【００３０】
したがって、測定の開始時において膜厚ｄが上記の範囲外にある場合には、最初は他の方法で膜厚測定を行い、膜厚ｄが絶対値の測定が可能な範囲内になった時点で、上記方法による膜厚測定に切り換えることが好ましい。そのような他の膜厚測定の方法としては、例えば、初期値として与えられた膜厚からの相対的な膜厚変化を測定する方法が挙げられる。この場合、１波長の測定光について反射干渉光を検出し、その強度の時間変化から膜厚の変化率（例えばエッチングレート）を求めて、膜厚の初期値から膜厚変化量を差し引くことで膜厚を取得する方法を用いることができる。
【００３１】
図３は、膜厚測定装置の一実施形態の構成を示すブロック図である。本実施形態では、半導体処理装置（例えばエッチング装置）２０の処理チャンバ内に設置された試料１０の半導体膜１５（図１参照）を測定対象物とした例を示している。本膜厚測定装置１Ａは、測定光学系２１と、測定光源２８と、分光光学系３０と、光検出器３１、３２と、膜厚解析部４０とを備えて構成されている。
【００３２】
処理装置２０内の試料１０の半導体膜１５に対し、測定光学系２１を介して測定光Ｌ０を供給する測定光源２８が設けられている。この測定光源２８は、図１、図２に関して上述したように、第１波長λ１の測定光成分、及び第２波長λ２の測定光成分を少なくとも含む測定光Ｌ０を測定対象物の半導体膜１５へと供給する。このような測定光源２８としては、例えば、第１波長λ１及び第２波長λ２を含む波長域の白色光を測定光Ｌ０として供給する白色光源を好適に用いることができる。
【００３３】
また、測定光Ｌ０が試料１０で反射された反射光Ｌ１、Ｌ２に対し、測定光学系２１を介して、分光光学系３０、及び光検出器３１、３２が設けられている。ここで、図４及び図５は、膜厚測定装置１Ａにおける測定光学系２１の構成の一例を示す図である。本構成例では、試料１０に対向して配置される対物レンズ２１１を含む測定光学系２１に対し、測定光源２８からの測定光を導光する測定光入力ファイバ２８１、試料１０の画像取得時等に用いられる照明光を導光する照明光入力ファイバ２８２、及び試料１０からの反射光を分光光学系３０へと導光する反射光出力ファイバ３０８が接続されている。
【００３４】
このような構成において、図４に示すように、測定光源２８からの測定光Ｌ０は、入力ファイバ２８１によって測定光学系２１へと入力され、ハーフミラー２１２を通過し、反射ミラー２１３で反射されて、対物レンズ２１１を介して試料１０の半導体膜１５へと供給される。また、図５に示すように、半導体膜１５の上面、下面からの反射光Ｌ１、Ｌ２は、反射ミラー２１３、ハーフミラー２１２、及び反射ミラー２１４で反射されて、出力ファイバ３０８を介して分光光学系３０へと出力される。
【００３５】
分光光学系３０は、試料１０から測定光学系２１を介して入力される反射光を分光する分光手段である。具体的には、分光光学系３０は、測定光Ｌ０の半導体膜１５の上面からの反射光Ｌ１、及び下面からの反射光Ｌ２が干渉して生成される干渉光について、干渉光のうちで第１測定光成分に起因する波長λ１の第１干渉光成分と、第２測定光成分に起因する波長λ２の第２干渉光成分とを別々に検出可能に分解する。
【００３６】
図６は、分光光学系３０の構成の一例を示す図である。この分光光学系３０は、入射スリット３０１、コリメーティング光学系３０２、分散素子である回折格子３０３、及びフォーカシング光学系３０４を有して構成されている。このような構成において、回折格子３０３で各波長の干渉光成分へと分解された干渉光は、フォーカシング光学系３０４を介して波長スペクトル出力面３０５に結像され、出力面３０５に配置された光検出器によって波長成分毎に検出される。
【００３７】
分光光学系３０によって波長成分毎に分解された干渉光に対し、波長λ１の第１干渉光成分、及び波長λ２の第２干渉光成分のそれぞれの各時点ｔでの強度（干渉強度）を検出する検出手段として、光検出器３１、３２が設けられている。第１光検出器３１は、波長λ１の第１干渉光成分を検出し、その強度を示す検出信号を出力する。また、第２光検出器３２は、波長λ２の第２干渉光成分を検出し、その強度を示す検出信号を出力する。
【００３８】
このような検出手段は、例えば図６に示した分光光学系３０に対し、その出力面３０５に配置されて、分光光学系３０によって分解された各干渉光成分の強度を検出する複数の光検出素子が配列されたマルチチャンネル光検出器によって構成することができる。この場合、光検出器の複数の光検出素子のうちで、波長λ１の第１干渉光成分を検出する１または複数の光検出素子が第１光検出器３１として機能する。同様に、波長λ２の第２干渉光成分を検出する１または複数の光検出素子が第２光検出器３２として機能する。
【００３９】
光検出器３１、３２からの検出信号は、膜厚解析部４０へと入力されている。膜厚解析部４０は、図２に関して上述したように、第１干渉光成分の検出強度の時間変化における第１位相φ１と、第２干渉光成分の検出強度の時間変化における第２位相φ２との位相差Δφ１２を求め、この位相差に基づいて、測定対象物である半導体膜１５の膜厚ｄの時間変化を求める膜厚解析手段である。
【００４０】
図７は、膜厚解析部４０の構成の一例を示すブロック図である。本構成例による膜厚解析部４０は、位相解析部４１と、測定位相差取得部４２と、位相差情報処理部４５と、膜厚情報出力部４６とを有して構成されている。また、図７においては、分光手段及び検出手段は、分光光学系３０と、第１、第２光検出器３１、３２を含むマルチチャンネル光検出器３３とを有する分光測定装置３５として構成されている。位相解析部４１は、分光測定装置３５からの検出信号を入力し、光検出器３１で検出された干渉光成分での第１位相φ１と、光検出器３２で検出された干渉光成分での第２位相φ２とを算出する。
【００４１】
測定位相差取得部４２は、位相解析部４１において算出された第１、第２干渉光成分の位相φ１、φ２について、その位相差Δφ１２を算出する。位相差情報処理部４５は、測定位相差取得部４２において取得された位相差Δφ１２に対して所定のデータ処理を行い、位相差Δφ１２に基づいて、測定対象の半導体膜１５の膜厚ｄの絶対値、及びその時間変化に関して必要な情報を導出する。
【００４２】
具体的には、位相差情報処理部４５は、式（４）に示した関係式に基づいて、測定位相差Δφ１２から膜厚ｄの絶対値を膜厚情報として算出する。あるいは、処理部４５は、膜厚ｄに換算していない位相差Δφ１２の情報自体を膜厚ｄを示す膜厚情報としても良い。また、膜厚情報出力部４６は、位相差情報処理部４５において求められた半導体膜１５の膜厚ｄについての情報を出力する。
【００４３】
また、図７に示す膜厚解析部４０では、エッチング処理によって半導体膜１５の膜厚ｄが減少する時間変化を想定し、エッチング処理の終点検出を行う構成を示している。このような終点検出のため、本構成例の膜厚解析部４０は、基準膜厚記憶部４３と、基準位相差取得部４４と、終点情報出力部４７とをさらに有している。
【００４４】
基準膜厚記憶部４３には、エッチング処理の終点とすべき半導体膜１５の膜厚ｄの値を示す基準膜厚（目標膜厚）Ｄがあらかじめ記憶されている。基準位相差取得部４４は、式（５．１）に示したように、記憶部４３から読み出した基準膜厚Ｄについて、それに対応する基準位相差（目標位相差）ΔΦを算出する。また、位相差情報処理部４５は、測定位相差取得部４２において取得された測定位相差Δφ１２と、基準位相差取得部４４において取得された基準位相差ΔΦとの比較を行う。
【００４５】
そして、処理部４５は、エッチング処理が終点に到達しているかどうかを、例えば測定位相差Δφ１２と基準位相差ΔΦとが一致しているかどうかによって判定し、終点に到達していると判定されれば、終点情報出力部４７を介してエッチング処理を停止するための終点検出信号を出力する。なお、このような膜厚解析部４０は、例えば所定の解析プログラムが実行されているコンピュータによって構成することができる。
【００４６】
また、図３に示す膜厚測定装置１Ａでは、上記の膜厚解析部４０に加えて、測定制御部５０が設けられている。測定制御部５０は、膜厚解析部４０の膜厚情報出力部４６からの膜厚情報、あるいはさらに終点情報出力部４７からの終点情報を参照し、測定装置１Ａ及び処理装置２０の装置各部を制御することで、測定装置１Ａにおける膜厚測定動作、及び処理装置２０におけるエッチング処理等の動作について必要な制御を行う。
【００４７】
また、この測定制御部５０には、入力装置５１と、表示装置５２とが接続されている。入力装置５１は、測定装置１Ａにおける測定動作、及び処理装置２０における処理動作に必要な情報、条件、指示等の操作者による入力に用いられる。この入力装置５１は、例えば膜厚解析部４０において用いられる測定波長λ１、λ２、各波長での測定対象物の屈折率ｎ１、ｎ２、エッチング処理の目標膜厚Ｄ等の入力に用いることができる。また、プロセス開始時の膜厚値をさらに入力しても良い。ただし、これらの条件、数値については、膜厚解析部４０にあらかじめ用意する構成としても良い。また、表示装置５２は、上記した測定動作及び処理動作についての必要な情報の操作者への表示に用いられる。
【００４８】
また、本実施形態の膜厚測定装置１Ａでは、測定光学系２１に対し、ＸＹθステージ２２が設けられている。このＸＹθステージ２２は、測定光学系２１の位置、角度等をＸ方向、Ｙ方向、θ方向に調整することで、本膜厚測定装置１Ａによる半導体膜１５での膜厚ｄの測定位置、測定条件を調整するために用いられる。また、ＸＹθステージ２２は、ステージ制御部２３によって駆動制御されている。
【００４９】
また、処理装置２０内の試料１０、及び測定光学系２１に対し、さらに撮像装置２４、及び測定位置設定部２５が設けられている。撮像装置２４は、測定装置１Ａによる半導体膜１５での膜厚ｄの測定位置を確認するための位置確認用撮像装置である。また、測定位置設定部２５は、撮像装置２４によって測定光学系２１を介して取得された半導体膜１５を含む試料１０の画像を参照して、試料１０に対する膜厚測定位置を設定する。
【００５０】
図８は、測定位置設定部２５の構成の一例を示すブロック図である。本構成例による測定位置設定部２５は、測定画像認識部２５１と、基準画像記憶部２５２と、画像比較部２５３と、制御条件算出部２５４とを有して構成されている。測定画像認識部２５１は、撮像装置２４で取得された試料１０の画像データを入力し、その画像での測定パターンのパターン認識を行う。また、基準画像記憶部２５２には、半導体膜１５での膜厚ｄの測定位置として設定すべき位置を特定するための基準画像があらかじめ記憶されている。
【００５１】
画像比較部２５３は、認識部２５１で認識された測定画像での測定パターンと、記憶部２５２で記憶された基準画像での基準パターンとを、差分画像の算出などの方法によって比較する。また、制御条件算出部２５４は、画像比較部２５３での測定画像と基準画像との比較結果に基づいて、測定位置の調整の要否、及び調整が必要な場合にはその制御条件を算出する。そして、この算出部２５４で求められた制御条件に基づいて、ステージ制御部２３を介してＸＹθステージ２２、測定光学系２１が駆動制御されることにより、試料１０の半導体膜１５に対する膜厚ｄの測定位置、測定条件が設定、制御される。
【００５２】
なお、このような試料１０の半導体膜１５に対する膜厚ｄの測定位置については、半導体ウエハ上のテグの位置とすることが好ましい。これは、半導体チップ上の位置を測定位置とすると、マスクなどの段差等が影響して、膜厚ｄを正確に測定できない可能性があるためである。
【００５３】
上記実施形態による膜厚測定装置、及び膜厚測定方法の効果について説明する。
【００５４】
図１〜図３に示した膜厚測定装置１Ａ及び膜厚測定方法においては、膜状の測定対象物である基板１２上の半導体膜１５に対し、第１、第２波長λ１、λ２の光成分を含む測定光Ｌ０を供給し、上面１６及び下面１７からの反射光Ｌ１、Ｌ２の干渉光を分光光学系３０及び光検出器３１、３２によって分光して検出する。そして、光検出器３１で検出される波長λ１の干渉光成分の位相φ１と、光検出器３２で検出される波長λ２の干渉光成分の位相φ２との位相差Δφ１２を取得することで、半導体膜１５の膜厚ｄの時間変化を求めている。このような構成によれば、２波長間での検出強度の時間波形の位相差により、測定対象物の膜厚ｄの絶対値、及びその時間変化を精度良く測定することが可能となる。
【００５５】
膜厚測定の具体的な測定対象については、上述したように、測定対象物は基板１２上の半導体膜１５であり、所定の処理の実行中における半導体膜１５の膜厚ｄの時間変化を測定することが好ましい。このような構成では、半導体膜１５の膜厚ｄが減少または増加するエッチング処理、薄膜形成処理などの半導体プロセスの実行中において、処理の終点検出などのプロセス制御を精度良く行うことができる。また、上記方法は、半導体膜１５以外にも、膜状の測定対象物の膜厚ｄの測定に対して一般に適用可能である。
【００５６】
また、膜厚測定装置１Ａの具体的な構成については、測定光源２８は、第１、第２波長λ１、λ２を含む波長域の白色光を測定光Ｌ０として供給する白色光源である構成を用いることができる。これにより、第１、第２波長λ１、λ２の測定光成分を少なくとも含む測定光Ｌ０を好適に供給することができる。また、試料１０からの反射光Ｌ１、Ｌ２の干渉光を分光する分光手段、及び干渉光を検出する検出手段の構成については、上述したように、分光手段は、干渉光を各波長の干渉光成分へと分解する分光光学系３０を有し、検出手段は、分光光学系３０によって分解された各干渉光成分の強度を検出する複数の光検出素子が配列されたマルチチャンネル光検出器を有する構成を用いることができる。
【００５７】
また、膜厚測定に用いられる測定光源、分光手段、及び検出手段については、上記以外にも様々な構成を用いることが可能である。例えば、測定光源については、第１、第２波長λ１、λ２の測定光成分を少なくとも含む測定光Ｌ０を供給可能な構成であれば良い。そのような測定光源としては、例えば複数の半導体レーザまたはＬＥＤを組み合わせた構成など、複数の単色光を同時に供給可能な光源が挙げられる。
【００５８】
また、分光手段としては、分光光学系以外にも、例えばバンドパスフィルタなどの波長選択フィルタを用いることができる。また、検出手段としては、例えば波長選択フィルタと組み合わせて設置されたフォトダイオードなどの光検出器を用いることができる。この場合、例えば第１波長λ１に対応する第１波長選択フィルタ及び第１光検出器と、第２波長λ２に対応する第２波長選択フィルタ及び第２光検出器とによって、分光手段及び検出手段を構成することができる。
【００５９】
上記実施形態の膜厚測定装置１Ａ及び膜厚測定方法による測定対象物の膜厚ｄの測定処理、及び測定条件等について、具体的な測定例とともにさらに説明する。
【００６０】
図９は、上記した測定方法による膜厚測定の第１の測定例について示すグラフである。本測定例では、第１波長をλ１＝３３５ｎｍ、第２波長をλ２＝４０５ｎｍとしている。このときの波長間隔はλ２−λ１＝７０ｎｍである。また、図９において、グラフ（ａ）は第１波長λ１の干渉光成分の検出強度Ｉの時間変化を示し、グラフ（ｂ）は、第２波長λ２の干渉光成分の検出強度Ｉの時間変化を示し、グラフ（ｃ）は、位相差Δφ１２に対応する測定対象物の膜厚ｄの時間変化を示している。これらのグラフに示すように、第１、第２干渉光成分の検出強度の時間変化の位相差により、測定対象物である半導体膜１５の膜厚ｄの絶対値、及びその時間変化を精度良く求めることができる。
【００６１】
また、上記の測定例において、波長λ１＝３３５ｎｍでの半導体膜１５の屈折率をｎ１＝２．７とし、波長λ２＝４０５ｎｍでの屈折率をｎ２＝２．５とし、エッチング処理における目標膜厚をＤ＝１００ｎｍとする。このとき、図９のグラフ（ｄ）に示すように、測定された膜厚ｄの絶対値の時間変化に対して、目標膜厚Ｄを閾値として設定することにより、エッチング処理の終点を検出することができる。
【００６２】
また、測定対象物の膜厚ｄの絶対値が測定可能な範囲は、位相差が０〜２πの範囲内で変化している間である。本測定例では、絶対値が測定可能な膜厚の最大値ｄｍａｘは
【数７】
2010230515.tif 000009
と求められる。すなわち、本測定例では、測定対象物の膜厚ｄが２６４．９９ｎｍ以下であれば、上記方法によって膜厚ｄの絶対値を測定することが可能である。
【００６３】
また、上記構成による測定対象物の膜厚ｄの測定では、測定可能な膜厚ｄの範囲、及びその測定精度（分解能）は、測定に用いられる光の波長λ１、λ２の設定に依存する。ここで、図１０は、上記方法による膜厚測定の第２の測定例について示すグラフであり、グラフ（ａ）は第１干渉光成分の検出強度Ｉの時間変化を示し、グラフ（ｂ）は、第２干渉光成分の検出強度Ｉの時間変化を示し、グラフ（ｃ）は、測定対象物の膜厚ｄの時間変化を示している。本測定例では、第１波長をλ１＝６００ｎｍ、第２波長をλ２＝７９０ｎｍ、その波長間隔を１９０ｎｍとしている。
【００６４】
また、図１１は、上記方法による膜厚測定の第３の測定例について示すグラフであり、グラフ（ａ）は第１干渉光成分の検出強度Ｉの時間変化を示し、グラフ（ｂ）は、第２干渉光成分の検出強度Ｉの時間変化を示し、グラフ（ｃ）は、測定対象物の膜厚ｄの時間変化を示している。本測定例では、第１波長をλ１＝４０５ｎｍ、第２波長をλ２＝６００ｎｍ、その波長間隔を１９５ｎｍとしている。
【００６５】
これらの図９〜図１１のグラフに示すように、測定装置１Ａにおいて測定される位相差Δφ１２と膜厚ｄとの対応関係、及び測定可能な膜厚範囲、測定精度は、波長λ１、λ２の設定に依存して変化する。したがって、膜厚測定に用いる波長λ１、λ２を設定、変更することにより、膜厚ｄの測定条件を設定、あるいは変更することが可能である。
【００６６】
この場合、測定光源２８は、測定光Ｌ０の成分として互いに波長が異なる３成分以上の測定光成分を供給可能に構成されていることが好ましい。また、分光光学系３０及び光検出器３１、３２などによる分光手段及び検出手段は、測定に用いられる波長λ１、λ２を変更可能に構成されていることが好ましい。このような構成では、測定対象物の膜厚ｄの時間変化の状態に応じて、その測定条件を好適に設定、変更することができる。この場合の測定光源２８としては、白色光源、あるいは３種類以上の単色光源を組み合わせた光源等を用いることができる。また、分光手段及び検出手段としては、分光光学系（分光器）とマルチチャンネル光検出器とを組み合わせた構成を用いることができる。
【００６７】
また、波長λ１、λ２の変更による膜厚測定条件の調整については、例えば図９〜図１１に示したように、波長λ１、λ２の波長域を変更する（ずらす）ことで、測定条件を調整する方法がある。あるいは、波長域はそのままで波長間隔Δλ＝λ２−λ１を変更する（広げるまたは狭める）ことで、測定条件を調整する方法がある。また、波長λ１、λ２を変更する構成では、測定対象物について膜厚ｄが減少する時間変化を測定する場合に、２波長の波長間隔Δλを時間とともに段階的に広げるように第１、第２波長λ１、λ２を変更することが好ましい。このような測定の例としては、エッチング処理の実行中における基板１２上の半導体膜１５の膜厚ｄの時間変化の測定が挙げられる。
【００６８】
具体的に、例えば図９に示した波長λ１＝３３５ｎｍ、λ２＝４０５ｎｍの例では、測定可能な膜厚ｄの最大値は、上述したようにｄｍａｘ＝２６４．９９ｎｍである。これに対して、同じ波長域において、波長間隔Δλを狭めてλ１＝４００ｎｍ、λ２＝４０２ｎｍとした場合を考える。このとき、波長λ１、λ２での半導体膜１５の屈折率を、いずれもｎ１＝ｎ２＝２．５とすると、絶対値が測定可能な膜厚の最大値ｄｍａｘは
【数８】
2010230515.tif 000010
と求められる。
【００６９】
すなわち、同じ波長域において波長λ１、λ２の波長間隔Δλを狭めた場合、測定可能な膜厚範囲は広くなる。ただし、このように波長間隔を狭めた場合、膜厚測定の分解能、及び測定精度は低下する。一方、波長λ１、λ２の波長間隔Δλを広げた場合、測定可能な膜厚範囲は狭くなるものの、その膜厚測定の分解能、及び測定精度は向上する。したがって、膜厚ｄの測定においては、このような波長間隔Δλと、測定範囲及び測定精度との関係を考慮し、必要に応じて波長λ１、λ２を切り換えることが好ましい。
【００７０】
図１２は、波長切換えを伴う膜厚測定方法の一例について示すグラフである。この例では、３種類の異なる測定条件を用いて膜厚測定を行っている。また、ここでは、各波長での半導体膜１５の屈折率を２．５で一定とする。第１の測定条件では、第１波長をλ１＝６００ｎｍ、第２波長をλ２＝６３８．３ｎｍ、波長間隔をΔλ＝３８．３ｎｍに設定している。図１２（ａ）は、このときの位相差Δφ１２の時間変化のグラフＣ１を示し、その測定可能な膜厚範囲は２０００ｎｍである。
【００７１】
また、第２の測定条件では、第１波長をλ１＝６００ｎｍ、第２波長をλ２＝６８１．８ｎｍ、波長間隔をΔλ＝８１．８ｎｍに設定している。図１２（ｂ）は、このときの位相差の時間変化のグラフＣ２を示し、その測定可能な膜厚範囲は１０００ｎｍである。また、第３の測定条件では、第１波長をλ１＝６００ｎｍ、第２波長をλ２＝７８９．５ｎｍ、波長間隔をΔλ＝１８９．５ｎｍに設定している。図１２（ｃ）は、このときの位相差の時間変化のグラフＣ３を示し、その測定可能な膜厚範囲は５００ｎｍである。
【００７２】
図１２（ｄ）は、これらの第１〜第３の測定条件を用いたときの、波長切換えを伴う膜厚測定方法の例を示している。この例では、エッチング処理による半導体膜１５の膜厚ｄの減少に対し、測定条件の切換え閾値ΔφＴを設定し、位相差Δφ１２がこの閾値まで減少した時点で測定条件を切り換える構成としている。すなわち、膜厚ｄの測定開始時を含む測定区間Ｔ１においては、最も測定範囲が広い第１の測定条件（Ｃ１）を適用する。
【００７３】
そして、位相差が閾値ΔφＴに到達した時点で、第１の測定条件よりも分解能が高い第２の測定条件（Ｃ２）に切り換え、測定区間Ｔ２で第２の測定条件を適用する。さらに、位相差が再び閾値ΔφＴに到達した時点で、第３の測定条件（Ｃ３）に切り換え、測定区間Ｔ３で第３の測定条件を適用する。このように、エッチング処理の進行による膜厚減少に伴って、２波長の波長間隔Δλを段階的に広げるように切り換えることにより、半導体膜１５の膜厚ｄを特に高精度で測定することが可能となる。なお、上記した例では、波長λ１を固定して波長λ２を変更することで波長間隔を変更しているが、波長λ２を固定して波長λ１を変更しても良い。あるいは、波長λ１、λ２をともに変更しても良い。
【００７４】
次に、図３に示した膜厚測定装置１Ａにおいて、膜厚解析部４０で行われる解析処理の具体的な一例を説明する。図１３〜図１８は、測定対象物の膜厚測定のための解析処理の具体例について説明するグラフである。なお、ここでは、１波長λの測定光について、その反射干渉光の検出強度の時間変化における位相の算出方法等について説明するが、２波長λ１、λ２を用いた測定においても、同様の方法で解析を行うことが可能である。
【００７５】
まず、図１３のグラフ（ａ）に示すように、波長λの光について取得された反射干渉光の検出強度の時間変化のデータについて、位相解析に用いる解析区間Ｔ（例えば位相解析に用いるデータ数）を設定する。また、この切り出された区間Ｔの測定データについて、図１３のグラフ（ｂ）、及び図１４のグラフ（ａ）に示すように、現在の時点を始点とした時間軸方向とは逆の方向に進む波を考えて、その軸変換を行う。
【００７６】
次に、図１４のグラフ（ｂ）に示すように、平均強度が０になるようにオフセットを調整し、検出強度データにおいて信号強度が大きい０次成分を除去して、０を中心に振動する時間変化とする。さらに、図１５のグラフ（ａ）に示すように、ＦＦＴ解析での周波数分解能を上げるため、解析区間を延長する。このとき、検出強度の解析データのうちで、データ延長部分については、その検出強度を０とすることが好ましい。続いて、図１５のグラフ（ｂ）に示すように、検出強度の解析データに対し、窓関数を適用する。これは、データ長さが有限長であることに起因して発生する擬似的な周波数信号を除去するためのものである。また、この場合の窓関数としては、具体的には例えばハミング窓を用いることができる。あるいは、例えばガウス窓などの他の窓関数を用いても良い。
【００７７】
以上のようにして準備された検出強度の解析データに対し、ＦＦＴ解析などの所定の解析方法を用いてフーリエ変換を実行し、その結果から検出強度の時間変化における位相φを求める。フーリエ変換を行って得られた結果を図１６のグラフに示す。また、ここでの位相はφ＝０である。なお、ここでいう位相とは、上記したように時間軸方向とは逆の方向に進む波を考えたときに、現在の時点を原点とする余弦波に対する遅れ位相量をいう。また、その位相の値は、フーリエ変換で得られた強度の実部及び虚部から、ａｔａｎ（虚部／実部）によって求めることができる。
【００７８】
また、図１３〜図１６において示した解析例に対し、検出強度の時間変化が１／４周期経過したときの解析例を、図１７、図１８に示す。図１７のグラフでは、図１３のグラフ（ａ）と同様に、反射干渉光の検出強度の時間変化のデータについて、位相解析に用いる解析区間Ｔを設定している。また、最終的にフーリエ変換を行って得られた結果を図１８のグラフに示す。また、ここでの位相はφ＝π／２と求められ、検出強度の時間変化が上記したように１／４周期経過していることがわかる。
【００７９】
上記方法による膜厚測定では、第１、第２波長λ１、λ２の干渉光成分のそれぞれについてこのような位相解析を行い、その位相差に基づいて、測定対象物の膜厚ｄの絶対値の時間変化を求める。膜厚ｄの時間変化について、例えばエッチングレートなどの膜厚変化率を求めることも可能である。また、エッチング処理の終点検出などのプロセス制御を行う場合には、あらかじめ設定された基準膜厚Ｄと測定された膜厚ｄ、またはそれらに対応する基準位相差ΔΦと測定された位相差Δφ１２とを比較し、両者の値が一致した場合にプロセスの終了信号を出力する等の方法によって、プロセス制御を行うことができる。
【００８０】
本発明による膜厚測定装置、及び膜厚測定方法は、上記実施形態及び構成例に限られるものではなく、様々な変形が可能である。例えば、膜厚測定に用いられる測定光源、分光手段、及び検出手段については、図３はその構成の一例を示すものであり、具体的には、上記以外にも様々な構成を用いることが可能である。また、測定された反射干渉光の検出強度から膜厚ｄを求めるための具体的な位相算出方法、及び膜厚解析方法等についても、上記した解析例に限られるものではなく、具体的には様々な方法を用いて良い。
【産業上の利用可能性】
【００８１】
本発明は、膜状の測定対象物の膜厚の時間変化を精度良く測定することが可能な膜厚測定装置、及び膜厚測定方法として利用可能である。
【符号の説明】
【００８２】
１Ａ…膜厚測定装置、１０…試料、１２…基板、１５…半導体膜（測定対象物）、１６…上面（第１面）、１７…下面（第２面）、２０…処理装置、２１…測定光学系、２２…ＸＹθステージ、２３…ステージ制御部、２４…撮像装置、２５…測定位置設定部、２８…測定光源、３０…分光光学系、３１…第１光検出器、３２…第２光検出器、３３…マルチチャンネル光検出器、３５…分光測定装置、４０…膜厚解析部、４１…位相解析部、４２…測定位相差取得部、４３…基準膜厚記憶部、４４…基準位相差取得部、４５…位相差情報処理部、４６…膜厚情報出力部、４７…終点情報出力部、５０…測定制御部、５１…入力装置、５２…表示装置。
【図１】
2010230515.tif 000011
【図２】
2010230515.tif 000012
【図３】
2010230515.tif 000013
【図４】
2010230515.tif 000014
【図５】
2010230515.tif 000015
【図６】
2010230515.tif 000016
【図７】
2010230515.tif 000017
【図８】
2010230515.tif 000018
【図９】
2010230515.tif 000019
【図１０】
2010230515.tif 000020
【図１１】
2010230515.tif 000021
【図１２】
2010230515.tif 000022
【図１３】
2010230515.tif 000023
【図１４】
2010230515.tif 000024
【図１５】
2010230515.tif 000025
【図１６】
2010230515.tif 000026
【図１７】
2010230515.tif 000027
【図１８】
2010230515.tif 000028